(57)【特許請求の範囲】
【請求項１】
使用済みのマスタを印刷装置から取り出して排版収納箱に収納する排版収納装置であって、収納されるマスタを逐次廃棄すべく印刷装置本体に対して着脱自在に構成された排版収納箱と、印刷ドラムに巻装されているマスタを剥離し、前記排版収納箱に収納する剥離収納手段を主要な部材として構成された印刷装置の排版収納装置において、
前記剥離収納手段を前記排版収納箱と一体的とし、さらに、対向接触状態で回転する一対の回転体で構成し、かつ、これら一対の回転体を前記排版収納箱の開口を塞ぐ態様で設けると共に、
前記剥離収納手段は、マスタの廃棄に用いる前記排版収納箱の開口を開閉する蓋の一部として構成したことを特徴とする印刷装置の排版収納装置。
【発明の詳細な説明】
【０００１】
【発明の属する技術分野】
本発明は、印刷装置の排版収納装置に関する。
【０００２】
【従来の技術】
使用済みのマスタを印刷装置から取り出して排版収納箱に収納する排版収納装置であって、収納されるマスタを逐次廃棄すべく印刷装置本体に対して着脱自在に構成された排版収納箱と、印刷ドラムに巻装されているマスタを剥離する剥離手段と、この剥離手段により前記印刷ドラムから剥離されたマスタを前記排版収納箱に送り込む搬送手段とを主要な部材として構成された印刷装置の排版収納装置がある。
【０００３】
例えば、孔版印刷装置においては、自動排版の動作に入ると、図８に実線で示す如く、印刷ドラム１の回転の向きが印刷時と逆の矢印の向きに切り換えられる。この切り換えと同時に、印刷時において印刷ドラム１から離間している一対の排版搬送ベルト２、３のうち、排版搬送ベルト３が図中一点鎖線で示す位置から、実線で示すような印刷ドラム１に接する位置まで移動する。また、マスタ４の先端をくわえている原紙クランパ（図示省略）はマスタ４の先端を解放する。
【０００４】
排版搬送ベルト３は印刷ドラム１と接する部分が、印刷ドラム１と逆向きに回動している。これにより、マスタ４の後端は、この排版搬送ベルト３にすくい上げられるようにして、これら排版搬送ベルト２、３間に引き込まれ、印刷ドラム１から剥がされながら連続的に搬送され、両排版搬送ベルト２，３間を通って、排版収納箱５内に向けて排出される。
【０００５】
ここで、排版搬送ベルト２、３は、印刷ドラムからマスタを剥離する剥離機能と、剥離されたマスタを排版収納箱内に送り込む収納機能とを兼用しており、剥離収納手段を構成している。
【０００６】
印刷ドラム１からマスタ４を剥離する手段としては、このほかに、印刷ドラム１の回転の向きを逆転しないで、原紙クランパがマスタ４の先端を解放することで、マスタ４の先端から剥離するタイプのものもある。何れにしても、排版収納箱にマスタ４は排出される。
【０００７】
排出されたマスタ４は、自然に折り曲げられて順次、収納される。図８の例では、排版収納箱５は密閉タイプであるが、この他、上方が開放されていて押圧手段が上下動して、排版収納箱内に排出されたマスタ４を押圧して圧縮し、多くのマスタ４を収納するようにしているものもある。
【０００８】
このようにして、排出されたマスタ４が排版収納箱５に一杯になったら、当該排版収納箱５をオペレーターが孔版印刷装置から取外し、内容物であるマスタ４だけをごみ箱に捨てて、該排版収納箱５は再び、孔版印刷装置に装着して使用に供される。一対の排版搬送ベルト２、３の端部は、排版収納箱５内に確実にマスタ４を送りこむために、排版収納箱５の開口部に部分的に入り込んだ構成になっている。
【０００９】
排版収納箱５の取外し方向は図８に矢印６で示す通りであり、一対の排版搬送ベルト２、３は排版収納箱と独立して孔版印刷装置本体側に設けられており、排版収納箱５の開口部に部分的に入り込んでいる一対の排版搬送ベルト２、３の端部に対して該排版収納箱５が離間されることとなる。
【００１０】
【発明が解決しようとする課題】
排版収納箱５を取り外す時期には、該排版収納箱５の内部はマスタで一杯になっていて、多数のマスタ４が折り曲げられた状態になっているので、折り曲げによる弾性的な力が作用しており、最後のマスタについてはその後端部が排版搬送ベルト２、３間にはさまっているか、少なくとも排版搬送ベルト２、３間に押しつけられた状態になっている。図８にその状況を符号４’で示すマスタを以って示している。
【００１１】
このような状態の下で、排版収納箱５を孔版印刷装置本体側から取り外そうとすると、上記最後のマスタ４’の後端部は一対の排版搬送ベルト２、３側に残ろうとするので、該一対の排版搬送ベルト２、３と排版収納箱５との間でちぎれたり、排版収納箱５からはみ出したりする。ここで、マスタ４は、印刷ドラム１側の面がインキまみれの状態になっており、また、マスタ自身もインキを含んでいるので、インクの付着したマスタ４’が周辺の部材を汚してしまうとの問題がある。
【００１２】
また、排版収納箱５を孔版印刷装置から取り外した状態の下では、開口部を塞いでいた一対の排版搬送ベルト２、３が存在しなくなるので、図９に示すように圧縮マスタの弾性により開口部から内部のマスタ４’’が外部に自然に溢れ出してしまうとの問題もある。
【００１３】
本発明は、排版収納箱を印刷装置から取り外す際に、収納されていたマスタが該排版収納箱の外部にはみ出して、周辺を汚すことを防止することのできる印刷装置の排版収納装置を提供することを目的とする。
【００１４】
【課題を解決するための手段】
本発明は、前記目的を達成するため、使用済みのマスタを印刷装置から取り出して排版収納箱に収納する排版収納装置であって、収納されるマスタを逐次廃棄すべく印刷装置本体に対して着脱自在に構成された排版収納箱と、印刷ドラムに巻装されているマスタを剥離し、前記排版収納箱に収納する剥離収納手段を主要な部材として構成された印刷装置の排版収納装置において、前記剥離収納手段を前記排版収納箱と一体的とし、さらに、対向接触状態で回転する一対の回転体で構成し、かつ、これら一対の回転体を前記排版収納箱の開口を塞ぐ態様で設けると共に、前記剥離収納手段は、マスタの廃棄に用いる前記排版収納箱の開口を開閉する蓋の一部として構成した（請求項１）。
【００１５】
ここで、前記剥離収納手段を、対向接触状態で回転する一対の回転体で構成し、かつ、これら一対の回転体を前記排版収納箱の開口を塞ぐ態様で設けることができる。
【００１６】
ここで、前記一対の回転体はマスタを引き込む向きに回転駆動され、この回転駆動力を伝達する駆動系は、前記排版収納箱の印刷装置本体に対する脱着動作を妨げることなく該脱着に応じて動力伝達系を断・接するクラッチ機構を介して外部動力と連結する構成とすることができる。
【００１７】
ここで、前記一対の回転体の一方は、ローラの外径部より突出した可撓性の羽根を有する羽根車で構成することができる。
【００１８】
ここで、前記前記剥離収納手段は、マスタの廃棄に用いる前記排版収納箱の開口を開閉する蓋の一部として構成することができる。
【００１９】
ここで、前記排版収納箱は、一対の回転体が設けられた部位とは異なる部位に形成したマスタ廃棄用の開口を有する構成にすることができる。
【００２０】
ここで、前記剥離収納手段は、案内板と、この案内板に可撓性羽根を摺接しつつ回転する羽根車との組合せにより構成することができる。
【００２２】
【発明の実施の形態】
（一）．〔請求項１に関連する説明〕
図１に示した例において、排版収納箱５０の、印刷ドラム１と対向する側には、紙面を貫く方向に長く、マスタ４を収納可能な幅を有する開口５１を形成している。この開口５１を塞ぐような態様で、一対の回転体５２、５３を、該排版収納箱５０と一体的に設けている。図８に示した従来技術と対比した場合、一対の排版搬送ベルト２、３に代えて、一対の回転体５２、５３を剥離収納手段として、排版収納箱５０と一体的に設けたのである。
【００２３】
これらの回転体５２、５３の回転軸は排版収納箱５０に軸支されており、外部動力源と連結されている駆動伝達系を介して、矢印で示すように対向接触部で排版収納箱５０の内側にマスタを引き込む向きに回転駆動されるようになっている。  回転体５２の外周には、円周方向に９０°ピッチで可撓性の羽根５２ａが植設されて全体としては羽根車を構成している。回転体５２が回転するとき、この羽根５２ａが撓みつつ印刷ドラム１の外周面に接触する。
【００２４】
印刷ドラム１から使用済みのマスタを剥離する工程では、従来技術での説明と同様に、実線で示す如く、印刷ドラム１の回転の向きが印刷時と逆の矢印の向きに切り換えられる。この切り換えと同時に、マスタの先端をくわえている原紙のクランパ（図示省略）はマスタ４の先端を解放する。
【００２５】
また、この時には、少なくとも、回転体５２、５３は矢印で示す所定の向きに回転している。この回転により、印刷ドラム１に先端部を摺接する羽根５２ａは該マスタの後端部を印刷ドラム１から剥離して回転体５３に導く。このマスタは回転体５２、５３間に引き込まれ、破線で示すように排版収納箱５０内に送り出される。このように、羽根５２ａは、マスタの後端を印刷ドラム１から剥離する機能を有する。
【００２６】
マスタの先端を把持するため、印刷ドラム１の外周面には、外周面より突出した状態でクランパ（図示省略）が設けられているが、羽根５２ａが撓むことにより、このクランパ部を無理なく通過させることができる。
【００２７】
よって、羽根５２ａを設けることによって、回転体５２、５３は定位置で回転させることができ、図８に示した従来例のように排版搬送ベルト３を移動させるような機構を設ける必要がなくなる。排版収納箱５０の孔版印刷装置内に対する取付け位置も、羽根の撓み状態などからマスタの剥離機能が発揮され、かつ、クランパを無理なく通過させ得るような位置に設定される。
【００２８】
排版収納箱５０が排出マスタで一杯になったら、その状態を検知する手段からの知らせを受けて、マスタの廃棄作業に移るが、その際、回転体５２、５３間により送り出された最後のマスタの後端が回転体５２、５３間のニップ部近傍に存在していても、そのマスタは回転体５２、５３及び当該排版収納箱５０と共に孔版印刷装置から取り外されるのであるから、排版収納箱５０からはみ出して、外部を汚すなどの問題は解消されることとなる。
【００２９】
また、排版収納箱５０の開口５１は一対の回転体５２、５３で塞がれているのであるから、内部のマスタが開口５１から外部に押し出されることもない。その代り、内部のマスタを廃棄するためには、別の開口が必要である。そこで、本例では、一対の回転体５２、５３が設けられた部位とは異なる排版収納箱５０の上方にマスタ廃棄用の開口５３を形成している。さらに、この開口５３を開閉自在にすべく、軸５４を支点として揺動自在の蓋５５を設けている。孔版印刷装置から排版収納箱５０を取り外したなら、この蓋５５を開き、内部のマスタを廃棄する。
【００３０】
（二）．〔請求項１に関連する説明〕
上記（一）で説明した実施の形態では、一対の回転体５２、５３を回転駆動するための駆動力を外部から得るようになっている。この動力伝達系について、回転体５２、５３の詳細構成と共に図２（ａ）、（ｂ）を参照しつつ、説明する。
【００３１】
排版収納箱５０を正面から見た図２（ａ）において、回転体５２は複数の段で分割された所謂、段ローラで構成されていて、個々の段に相当するローラの中間部には溝部５２ｂが形成されており、この溝部５２ｂに円周方向９０°ピッチで、羽根５２ａが植設されている。同様に回転体５３も段ローラで構成されていて、個々の段に相当するローラの中間部には溝部５３ｂが形成されていて、この溝部５３ｂに溝部５２ｂが対向するような位置関係となっている。
このようにすることで、羽根５２ａが存在するにも拘らず、回転体５２、５３の各段ローラ相互の接触回転を可能としている。
【００３２】
回転体５２の軸５２Ｊと、回転体５３の軸５３Ｊとは各軸端側が排版収納箱５０の開口５１の端部で軸支されており、貫通して該排版収納箱５０の外部に突出している。この突出した両軸部には同じ歯数の歯車Ｇ５２、Ｇ５３が固定されていて、互いに噛み合っている。
【００３３】
軸５２Ｊについては、その端部に軸直角方向にピン５２Ｐが固定されている。このピン５２Ｐに対向してこのピン５２Ｐが入ることができる寸法の十字状の溝５２ＰＭが形成された継ぎ手５６が位置している。この継ぎ手５６を正面から見た状態を図２（ｂ）に示す。
【００３４】
この継ぎ手５６は軸５６Ｊと一体に回転されるようになっていて、軸５６Ｊは孔版印刷装置の側板５７に軸支されている。この側板５７にはモーター５８が固定されていて、このモーター５８の回転軸５８Ｊは側板５７を貫通していて、この貫通した回転軸５８Ｊと、軸５６Ｊには、同じ歯数の歯車Ｇ５６、Ｇ５８が固定されていて、互いに噛み合っている。
【００３５】
排版収納箱５０がマスタの剥離に適した所定の位置にあるとき、ピン５２Ｐは溝５２ＰＭに係合してモーター５８の動力を伝達する状態となっている。排版収納箱５０を孔版印刷装置から取り外す際には、当該排版収納箱５０を軸５２Ｊの軸長手方向に移動させるか、または、溝５２ＰＭからピン５２Ｐが外れるまでの距離分、排版収納箱５０を軸５２Ｊの軸長手方向に移動させた後、軸５２Ｊの軸長手方向と直交する方向に移動させる。移動に際しては把っ手５９を利用する。
【００３６】
このような構成により、排版収納箱５０の孔版印刷装置に対する脱着動作と連動して自動的動力伝達系の断・接が行なわれることとなる。ここで、ピン５２Ｐと継ぎ手５６との組合せは、排版収納箱５０の印刷装置本体に対する脱着動作を妨げることなく該脱着に応じて動力伝達系を断・接するクラッチ機構を構成する。
【００３７】
（三）．〔請求項１に対応する説明〕
図１に示した実施の形態では、排版収納箱５０の上方に開閉用の蓋５５が必要であった。本例では、剥離収納手段自体を開閉蓋に構成している。図３において、  剥離収納手段としての一対の回転体５２、５３及びその駆動系の構成は、図２に示した構成に準ずる。
【００３８】
このような構成の剥離収納手段は、開閉する蓋６１に設けられている。蓋６１の上方には軸６１Ｊが設けられており、この軸６１Ｊは図４に示す排版収納箱６０の上部に枢着されている。
【００３９】
蓋６１は、剥離収納手段と共に、軸６１Ｊを支点として開閉自在であり、マスタの剥離収納時においては、図４に示す閉じ状態に掛け金などの保持手段により保持される。当該排版収納箱６０に収納されたマスタを廃棄する際には、上記保持手段の保持を解除し、蓋６１を図４に示す矢印の向きに回動して該排版収納箱６０を開き、中のマスタを廃棄する。本例では、図１に示した例のように別途、蓋５５を設ける必要がない点で構成が簡素化される。
【００４０】
（四）．〔参考例〕
以上に説明した実施の形態では、剥離収納手段を構成するものが一対の回転体であったが、この実施の形態では剥離収納手段は、羽根車とこの羽根車の羽根に摺接される案内板とで構成されている。
【００４１】
図５において、羽根車を構成する回転体６２は、図２で説明した回転体５２に準じた構成となっているので、対応する部材に同じ符号を付し、説明は省略する。回転する羽根車６２の羽根５２ａに摺接するようにして、該羽根車６２の下部には、案内板６３が設けられている。
【００４２】
印刷ドラム１のマスタは、図１で説明したのと同じように、羽根５２ａで印刷ドラム１から剥離され、案内板６３と摺擦されつつ排版収納箱７０内に収納される。この例では、回転体が１つであるので、図１、図２で示した構成に比べ簡単である。
【００４３】
（五）．〔参考例〕
以上説明した実施の形態では、一方の回転体を羽根車で構成したものであったが、羽根車で構成せず、対向接触して回転する一対のローラの組合せにより剥離収納手段を構成することも勿論可能である。この実施の形態は、その例に係るもので、図６により説明する
【００４４】
図６において、一対の回転体６４、６５は羽根を有しないローラを以って構成されている。これらのローラは羽根を有しないので、印刷ドラム１に設けられたクランパを回避する手段が必要となる。このクランパを回避する手段として、回転体６４の回転中心である軸６４Ｊを中心に揺動自在のアーム６６を設け、このアーム６６に回転体６５の軸６５Ｊを軸支する構成としている。これら回転体６４、６５およびアーム６６などは全て、排版収納箱８０と一体的に構成している。
【００４５】
マスタを剥離収納する必要のない印刷工程においては、アーム６６を図６に実線で示す位置に揺動させて保持し、クランパの通過を許すこととする。マスタの剥離収納工程においては、アーム６６をソレノイドなど適宜の手段で揺動させ、回転体６５を図６に２点鎖線で示す位置に移動させ、マスタを剥離収納する。剥離収納時において、マスタは図６に破線で示す経路を辿り、回転体６４、６５間より、排版収納箱８０内に送り出される。ここで、各回転体６４、６５は図６に矢印で示す向きに回転駆動されるようになっており、駆動系は、図２に示す例に準ずる。
【００４６】
この例においても、一対の回転体６４、６５の構成は排版収納箱８０の開口を塞ぐ状態を構成するので、当該排版収納箱８０内のマスタを廃棄するための開口が別に必要となる。そこで、図７に示すように、排版収納箱８０の上方に開口を形成し、軸６８Ｊを支点として開閉自在の蓋６８を設ける。
【００４７】
蓋６８の閉じ状態を保持する手段として、軸６４Ｊを中心に揺動するフック部材６９を設け、このフック部材６９を蓋の自由端側に形成したもう一つのフック部材６９’に掛け外し可能としている。
【００４８】
【発明の効果】
本発明（請求項１）によれば、一対の回転体が、排版収納箱の開口を開閉する蓋の一部として構成されているので、別途蓋を設ける必要がない点で構成が簡素化される。
【図面の簡単な説明】
【図１】排版収納箱の要部断面図である。
【図２】回転体の動力伝達系及び回転体の構造を説明した図である。
【図３】本発明の実施の形態を説明した排版収納箱の要部断面図である。
【図４】本発明の実施の形態を説明した排版収納箱の要部断面図である。
【図５】排版収納箱の要部断面図である。
【図６】排版収納箱の要部断面図である。
【図７】排版収納箱の要部断面図である。
【図８】従来の技術にかかる排版収納装置構成を説明した図である。
【図９】従来技術の問題を説明した排版収納箱の断面図である。
【符号の説明】
５２  （剥離収納手段としての）回転体
５３  （剥離収納手段としての）回転体
６０  排版収納箱
【図１】
0003617861.tif 000002
【図２】
0003617861.tif 000003
【図３】
0003617861.tif 000004
【図４】
0003617861.tif 000005
【図５】
0003617861.tif 000006
【図６】
0003617861.tif 000007
【図７】
0003617861.tif 000008
【図８】
0003617861.tif 000009
【図９】
0003617861.tif 000010